(57)【要約】【課題】異動が発生した時や各種証明の交付要求の時に、戸籍、住民票、附票の複数の操作、および筆頭者、世帯主、および必要者に関する情報をその都度２重に入力しなければならない。【解決手段】戸籍ＤＢ４０、住民ＤＢ５０、附票ＤＢ６０、および各ＤＢに関係し、検索の核となる共通キーワードが記録されている共通検索ＤＢ３０、の各ＤＢ群と、これら各ＤＢ群を管理・処理するサーバ２０と、サーバ２０に接続し各ＤＢ群に異動事由による移動入力および証明証交付要求による証明出力を行う戸籍住民総合端末１０と、サーバと戸籍住民総合端末とを接続し通信路を形成するネットワークで構成し、戸籍、附票、住民票に関する各種移動届や証明の交付要求を市民課総合窓口の１種類の戸籍住民総合端末を使って行う。【選択図】　　　図１
2004013724.tif 000002
【特許請求の範囲】
【請求項１】
戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行うことを特徴とする戸籍住民管理システム。
【請求項２】
戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出することを特徴とする戸籍住民管理システム。
【請求項３】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行うことを特徴とする戸籍住民管理システム。
【請求項４】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出することを特徴とする戸籍住民管理システム。
【請求項５】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行うことを特徴とする戸籍住民管理システム。
【請求項６】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行うことを特徴とする戸籍住民管理システム。
【請求項７】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行うことを特徴とする戸籍住民管理システム。
【請求項８】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行うことを特徴とする戸籍住民管理システム。
【請求項９】
戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、戸籍住民総合端末から、戸籍、附票、住民票に関する各種移動届や証明の交付要求を行うことを特徴とする戸籍住民管理システム。
【請求項１０】
戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出することを特徴とする戸籍住民管理システム。
【請求項１１】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、市民課総合窓口の戸籍住民総合端末から、戸籍、附票、住民票に関する各種移動届や証明の交付要求を行うことを特徴とする戸籍住民管理システム。
【請求項１２】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、市民課総合窓口の戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出することを特徴とする戸籍住民管理システム。
【請求項１３】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、他の自治体のサーバと戸籍住民総合端末とをインターネットで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行うことを特徴とする戸籍住民管理システム。
【請求項１４】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、他の自治体のサーバと戸籍住民総合端末とをインターネットで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行うことを特徴とする戸籍住民管理システム。
【請求項１５】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、他の自治体のサーバと戸籍住民総合端末とをインターネットで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行うことを特徴とする戸籍住民管理システム。
【請求項１６】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、他の自治体のサーバと戸籍住民総合端末とをインターネットで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行うことを特徴とする戸籍住民管理システム。
【請求項１７】
戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、戸籍住民総合端末から、戸籍、附票、住民票に関する各種移動届や証明の交付要求を行うことを特徴とする戸籍住民管理システム。
【請求項１８】
戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出することを特徴とする戸籍住民管理システム。
【請求項１９】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、市民課総合窓口の戸籍住民総合端末から、戸籍、附票、住民票に関する各種移動届や証明の交付要求を行うことを特徴とする戸籍住民管理システム。
【請求項２０】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、市民課総合窓口の戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出することを特徴とする戸籍住民管理システム。
【請求項２１】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをローカルエリアネットワークで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ローカルエリアネットワークを介してそれぞれの管轄地の自治体のサーバ間で連係し処理を行い、関連する各データベースの検索、登録、出力を行うことを特徴とする戸籍住民管理システム。
【請求項２２】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをローカルエリアネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ローカルエリアネットワークを介してそれぞれの管轄地の自治体のサーバ間で連係し処理を行い、関連する各データベースの検索、登録、出力を行うことを特徴とする戸籍住民管理システム。
【請求項２３】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをローカルエリアネットワークで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ローカルエリアネットワークを介してそれぞれの管轄地の自治体のサーバ間で連係し処理を行い、関連する各データベースの検索、登録、出力を行うことを特徴とする戸籍住民管理システム。
【請求項２４】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをローカルエリアネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ローカルエリアネットワークを介してそれぞれの管轄地の自治体のサーバ間で連係し処理を行い、関連する各データベースの検索、登録、出力を行うことを特徴とする戸籍住民管理システム。
【請求項２５】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをインターネットで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行うことを特徴とする戸籍住民管理システム。
【請求項２６】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをインターネットで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行うことを特徴とする戸籍住民管理システム。
【請求項２７】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをインターネットで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行うことを特徴とする戸籍住民管理システム。
【請求項２８】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをインターネットで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行うことを特徴とする戸籍住民管理システム。
【請求項２９】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、出生届に関し、市民課総合窓口で、出生者の親である市民は、住民の本籍地に出生届を出すと、市民課総合窓口担当者が戸籍住民総合端末を使って、移動入力メニューから出生に関する異動事由を選択し、出生者の親である筆頭者の氏名、生年月日、および住所を入力し、サーバは筆頭者の情報をキーワードとして共通検索データベースを検索し、戸籍データベースから該当戸籍簿をまた住民データベースから該当住民票を抽出し、戸籍簿に出生者が構成人として追記され、また、附票データベースに出生者の附票が作成され、さらに、住民データベースの住民票に出生者が構成人として追記されることを特徴とする戸籍住民管理方法。
【請求項３０】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、証明の交付要求として、市民課総合窓口で、市民は、戸籍抄本、附票、および住民票の交付要求し、市民課総合窓口担当者が戸籍住民総合端末を使って、証明出力メニューから戸籍抄本、附票、および住民票の交付要求を選択し、戸籍の筆頭者の氏名、生年月日、および住所と、住民票の世帯主の氏名、生年月日、および住所と、戸籍抄本、附票、および住民票の必要者の氏名、生年月日、および住所を入力すると、サーバは筆頭者および世帯主の情報をキーワードとして共通検索データベースを検索し、戸籍データベースから該当戸籍簿を、住民データベースから該当住民票を、また附票データベースから該当附票を抽出し、必要者の戸籍抄本、附票、および住民票の証明出力を指示し、必要者の戸籍抄本、附票、および住民票が出力されることを特徴とする戸籍住民管理方法。
【請求項３１】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合、それぞれ戸籍、附票、住民票に関する各種移動届や証明の交付要求はそれぞれの管轄地の自治体の市民課総合窓口の市民課総合窓口担当者が戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行うことを特徴とする戸籍住民管理方法。
【請求項３２】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合、それぞれ戸籍、附票、住民票に関する各種移動届や証明の交付要求は本籍地か住所を管轄している管轄地の自治体のどちらかの市民課総合窓口の市民課総合窓口担当者が戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行うことを特徴とする戸籍住民管理方法。
【請求項３３】
戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行うことを特徴とする戸籍住民管理方法。
【請求項３４】
戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出することを特徴とする戸籍住民管理方法。
【請求項３５】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行うことを特徴とする戸籍住民管理方法。
【請求項３６】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出することを特徴とする戸籍住民管理方法。
【請求項３７】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行うことを特徴とする戸籍住民管理方法。
【請求項３８】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行うことを特徴とする戸籍住民管理方法。
【請求項３９】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行うことを特徴とする戸籍住民管理方法。
【請求項４０】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行うことを特徴とする戸籍住民管理方法。
【請求項４１】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、出生届に関し、市民課総合窓口で、出生者の親である市民は、住民の本籍地に出生届を出すと、市民課総合窓口担当者が戸籍住民総合端末を使って、移動入力メニューから出生に関する異動事由を選択し、出生者の親である筆頭者の氏名、生年月日、および住所を入力し、サーバは筆頭者の情報をキーワードとして共通検索データベースを検索し、戸籍データベースから該当戸籍簿をまた住民データベースから該当住民票を抽出し、戸籍簿に出生者が構成人として追記され、また、附票データベースに出生者の附票が作成され、さらに、住民データベースの住民票に出生者が構成人として追記される処理をコンピュータに実行させるためのプログラム。
【請求項４２】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、証明の交付要求として、市民課総合窓口で、市民は、戸籍抄本、附票、および住民票の交付要求し、市民課総合窓口担当者が戸籍住民総合端末を使って、証明出力メニューから戸籍抄本、附票、および住民票の交付要求を選択し、戸籍の筆頭者の氏名、生年月日、および住所と、住民票の世帯主の氏名、生年月日、および住所と、戸籍抄本、附票、および住民票の必要者の氏名、生年月日、および住所を入力すると、サーバは筆頭者および世帯主の情報をキーワードとして共通検索データベースを検索し、戸籍データベースから該当戸籍簿を、住民データベースから該当住民票を、また附票データベースから該当附票を抽出し、必要者の戸籍抄本、附票、および住民票の証明出力を指示し、必要者の戸籍抄本、附票、および住民票が出力される処理をコンピュータに実行させるためのプログラム。
【請求項４３】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合、それぞれ戸籍、附票、住民票に関する各種移動届や証明の交付要求はそれぞれの管轄地の自治体の市民課総合窓口の市民課総合窓口担当者が戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させるためのプログラム。
【請求項４４】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合、それぞれ戸籍、附票、住民票に関する各種移動届や証明の交付要求は本籍地か住所を管轄している管轄地の自治体のどちらかの市民課総合窓口の市民課総合窓口担当者が戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させるためのプログラム。
【請求項４５】
戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行う処理をコンピュータに実行させるためのプログラム。
【請求項４６】
戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する処理をコンピュータに実行させるためのプログラム。
【請求項４７】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行う処理をコンピュータに実行させるためのプログラム。
【請求項４８】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する処理をコンピュータに実行させるためのプログラム。
【請求項４９】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させるためのプログラム。
【請求項５０】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させるためのプログラム。
【請求項５１】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させるためのプログラム。
【請求項５２】
自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させるためのプログラム。
【発明の詳細な説明】
【０００１】
【発明の属する技術分野】
本発明は戸籍住民管理システムと戸籍住民管理方法に関し、特に自治体におて戸籍データ、住民記録データ、附票データをそれぞれの係（自治体におけるセクション）で入力管理されていたものを統合的に操作管理方を行えるようにした戸籍住民管理システムと戸籍住民管理方法に関する。
【０００２】
【従来の技術】
従来の地方自治体の戸籍管理システムおよび住民票管理システムを、図５の従来の戸籍管理システムおよび住民票管理システムの構成図と、図６の従来の戸籍管理システムおよび住民票管理システムの移動届の動作を示す流れ図、および図７の従来の戸籍管理システムおよび住民票管理システムの証明交付要求の動作を示す流れ図をもとに説明する。
【０００３】
戸籍管理システムは戸籍で管理・処理するデータが記録されている戸籍ＤＢ（戸籍データベース）４００および附票で管理・処理するデータが記録されている附票ＤＢ（附票データベース）６００が配備され、住民票管理システムは住民記録で管理・処理するデータが記録されている住民ＤＢ（住民データベース）５００が配備されていた。
【０００４】
戸籍ＤＢ４００には、戸籍の筆頭者の氏名、生年月日をもとに戸籍構成人の氏名、生年月日が記録されている。住民ＤＢ５００には、住民票の所帯主の氏名、生年月日をもとに住民票構成人の氏名、生年月日が記録されている。また、附票ＤＢ６００には、戸籍の筆頭者の氏名、生年月日をもとに戸籍構成人毎に氏名、生年月日と住所変更に伴なう住所履歴情報が記録されている。
【０００５】
各々のＤＢに異動事由が生じた場合の移動入力の動作について、図６を参照して説明する。
【０００６】
図６は出生に関わる移動届の動作で、まず、出生者の親である住民（市民）は、住民の本籍地に出生届を出すと（ステップＳ６１）、戸籍係担当者が戸籍係端末１００を使って、移動入力メニューから出生に関する異動事由を選択し、出生者の親である筆頭者の氏名、生年月日、住所を入力し、親の戸籍簿を検索し、抽出し、本戸籍簿に出生者の氏名、生年月日を追記する（ステップＳ６２）。
【０００７】
戸籍簿に出生者の追記が指示されることにより戸籍ＤＢ４００に出生者が記録される（ステップＳ６３）。このとき出生者に関わる附票が附票ＤＢ６００に作成される（ステップＳ６４）。
【０００８】
戸籍簿に出生者が記録されたされたことにより、出生における住所移動票が戸籍係から住民係へ送付する（ステップＳ６５）、住民係担当者が住民係端末２００を使って、移動入力メニューから出生に関する異動事由を選択し、出生者の親である世帯主の住所、氏名、生年を入力し、住民票を検索し、抽出し、本住民票に出生者の氏名、生年月日を追記する（ステップＳ６６）。
【０００９】
住民票に出生者の追記が指示されることにより住民ＤＢ５００に出生者が記録される（ステップＳ６７）。
【００１０】
このときステップＳ６４で出生者に関わる附票ＤＢ６００に作成された附票に出生者の住所情報が補完され、附票ＤＢ６００に記録される（ステップＳ６８）。
【００１１】
以上は異動事由として出生に関する動作について説明したが、異動事由として戸籍ＤＢ４００では、婚姻、離婚、帰化、および死亡等があり、また住民ＤＢ５００では、転出、転入、帰化、および死亡等がある。
【００１２】
次に、各々のＤＢを検索し、各種証明の交付要求の動作について、図７を参照して説明する。
【００１３】
証明の交付要求として、戸籍であれば戸籍謄本や戸籍抄本があり、ここでは戸籍抄本と、附票と、住民票につき説明する。
【００１４】
まず、戸籍抄本の交付要求が戸籍係に出されると（ステップＳ７１）、戸籍係担当者が戸籍係端末１００を使って、証明出力メニューから戸籍抄本を選択し、戸籍の筆頭者の氏名、生年月日、住所と戸籍抄本の必要者の氏名、生年月日を入力し、戸籍ＤＢ４００から該当情報が検索され、証明出力が指示されることにより（ステップＳ７２）、戸籍抄本が出力される（ステップＳ７３）。
【００１５】
次に、附票の交付要求については、附票の交付要求が戸籍係に出されると（ステップＳ７４）、戸籍係担当者が戸籍係端末１００を使って、証明出力メニューから附票を選択し、戸籍の筆頭者の氏名、生年月日、住所と附票の必要者の氏名、生年月日を入力し、戸籍ＤＢ６００から該当情報が検索され、証明出力が指示されることにより（ステップＳ７５）、附票が出力される（ステップＳ７６）。
【００１６】
次に、住民票の交付要求については、住民票の交付要求が住民係に出されると（ステップＳ７７）、住民係担当者が住民係端末２００を使って、証明出力メニューから住民票を選択し、住民票の世帯主の氏名、生年月日、住所と住民票の必要者の氏名、生年月日を入力し、住民ＤＢ５００から該当情報が検索され、証明出力が指示されることにより（ステップＳ７６）、住民票が出力される（ステップＳ７８）。
【００１７】
以上のように、異動が発生した時や各種証明の交付要求の時に、戸籍係担当者による戸籍係端末１００を使っての戸籍ＤＢ４００の操作、住民係担当者による住民係端末２００を使っての住民ＤＢ５００の操作、戸籍係担当者による戸籍係端末１００を使っての附票ＤＢ６００の操作の三つの操作が必要とする場合がある。この場合、筆頭者、世帯主、および必要者に関する氏名、生年月日、住所等の情報をその都度入力しなければならない。
【００１８】
【発明が解決しようとする課題】
上述した従来の戸籍管理システムおよび住民票管理システムは、
第１の問題点は、異動が発生した時や各種証明の交付要求の時に、戸籍係担当者による戸籍係端末を使っての戸籍ＤＢの操作、住民係担当者による住民係端末を使っての住民ＤＢの操作、戸籍係担当者による戸籍係端末を使っての附票ＤＢの操作の三つの操作が必要とする場合がある。
【００１９】
その理由は、本人特定でなく、異動事由や証明種別対応で、戸籍ＤＢ、住民ＤＢ、附票ＤＢ、および戸籍係端末、住民係端末を区別して使い分けするからである。
【００２０】
第２の問題は、複数種の証明証の交付要求時、筆頭者、世帯主、および必要者に関する氏名、生年月日、住所等の情報をその都度２重に入力しなければならない。
【００２１】
その理由は、本人特定でなく、異動事由や証明種別対応で、戸籍ＤＢ、住民ＤＢ、附票ＤＢ、および戸籍係端末、住民係端末を区別して使い分けするからである。
【００２２】
【課題を解決するための手段】
本発明の戸籍住民管理システムと戸籍住民管理方法は、
を備えて構成されている。
【００２３】
第１の発明の戸籍住民管理システムと戸籍住民管理方法は、
を備えて構成されている。
【００２４】
また、第２の発明の戸籍住民管理システムと戸籍住民管理方法は、
ことにより構成されている。
【００２５】
第１の発明の戸籍住民管理システムは、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行う。
【００２６】
第２の発明の戸籍住民管理システムは、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する。
【００２７】
第３の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行う。
【００２８】
第４の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する。
【００２９】
第５の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う。
【００３０】
第６の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う。
【００３１】
第７の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う。
【００３２】
第８の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う。
【００３３】
第９の発明の戸籍住民管理システムは、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、戸籍住民総合端末から、戸籍、附票、住民票に関する各種移動届や証明の交付要求を行う。
【００３４】
第１０の発明の戸籍住民管理システムは、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する。
【００３５】
第１１の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、市民課総合窓口の戸籍住民総合端末から、戸籍、附票、住民票に関する各種移動届や証明の交付要求を行う。
【００３６】
第１２の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、市民課総合窓口の戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する。
【００３７】
第１３の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、他の自治体のサーバと戸籍住民総合端末とをインターネットで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行う。
【００３８】
第１４の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、他の自治体のサーバと戸籍住民総合端末とをインターネットで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行う。
【００３９】
第１５の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、他の自治体のサーバと戸籍住民総合端末とをインターネットで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行う。
【００４０】
第１６の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するインターネットで構成し、他の自治体のサーバと戸籍住民総合端末とをインターネットで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行う。
【００４１】
第１７の発明の戸籍住民管理システムは、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、戸籍住民総合端末から、戸籍、附票、住民票に関する各種移動届や証明の交付要求を行う。
【００４２】
第１８の発明の戸籍住民管理システムは、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する。
【００４３】
第１９の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、市民課総合窓口の戸籍住民総合端末から、戸籍、附票、住民票に関する各種移動届や証明の交付要求を行う。
【００４４】
第２０の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、市民課総合窓口の戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する。
【００４５】
第２１の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをローカルエリアネットワークで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ローカルエリアネットワークを介してそれぞれの管轄地の自治体のサーバ間で連係し処理を行い、関連する各データベースの検索、登録、出力を行う。
【００４６】
第２２の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをローカルエリアネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ローカルエリアネットワークを介してそれぞれの管轄地の自治体のサーバ間で連係し処理を行い、関連する各データベースの検索、登録、出力を行う。
【００４７】
第２３の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをローカルエリアネットワークで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ローカルエリアネットワークを介してそれぞれの管轄地の自治体のサーバ間で連係し処理を行い、関連する各データベースの検索、登録、出力を行う。
【００４８】
第２４の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをローカルエリアネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ローカルエリアネットワークを介してそれぞれの管轄地の自治体のサーバ間で連係し処理を行い、関連する各データベースの検索、登録、出力を行う。
【００４９】
第２５の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをインターネットで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行う。
【００５０】
第２６の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをインターネットで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行う。
【００５１】
第２７の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをインターネットで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行う。
【００５２】
第２８の発明の戸籍住民管理システムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するローカルエリアネットワークで構成し、他の自治体のサーバと戸籍住民総合端末とをインターネットで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、インターネットを介してそれぞれの管轄地の自治体のサーバ間で連係し処理を行い、関連する各データベースの検索、登録、出力を行う。
【００５３】
第２９の発明の戸籍住民管理方法は、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、出生届に関し、市民課総合窓口で、出生者の親である市民は、住民の本籍地に出生届を出すと、市民課総合窓口担当者が戸籍住民総合端末を使って、移動入力メニューから出生に関する異動事由を選択し、出生者の親である筆頭者の氏名、生年月日、および住所を入力し、サーバは筆頭者の情報をキーワードとして共通検索データベースを検索し、戸籍データベースから該当戸籍簿をまた住民データベースから該当住民票を抽出し、戸籍簿に出生者が構成人として追記され、また、附票データベースに出生者の附票が作成され、さらに、住民データベースの住民票に出生者が構成人として追記される。
【００５４】
第３０の発明の戸籍住民管理方法は、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、証明の交付要求として、市民課総合窓口で、市民は、戸籍抄本、附票、および住民票の交付要求し、市民課総合窓口担当者が戸籍住民総合端末を使って、証明出力メニューから戸籍抄本、附票、および住民票の交付要求を選択し、戸籍の筆頭者の氏名、生年月日、および住所と、住民票の世帯主の氏名、生年月日、および住所と、戸籍抄本、附票、および住民票の必要者の氏名、生年月日、および住所を入力すると、サーバは筆頭者および世帯主の情報をキーワードとして共通検索データベースを検索し、戸籍データベースから該当戸籍簿を、住民データベースから該当住民票を、また附票データベースから該当附票を抽出し、必要者の戸籍抄本、附票、および住民票の証明出力を指示し、必要者の戸籍抄本、附票、および住民票が出力される。
【００５５】
第３１の発明の戸籍住民管理方法は、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合、それぞれ戸籍、附票、住民票に関する各種移動届や証明の交付要求はそれぞれの管轄地の自治体の市民課総合窓口の市民課総合窓口担当者が戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う。
【００５６】
第３２の発明の戸籍住民管理方法は、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合、それぞれ戸籍、附票、住民票に関する各種移動届や証明の交付要求は本籍地か住所を管轄している管轄地の自治体のどちらかの市民課総合窓口の市民課総合窓口担当者が戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う。
【００５７】
第３３の発明の戸籍住民管理方法は、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行う。
【００５８】
第３４の発明の戸籍住民管理方法は、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する。
【００５９】
第３５の発明の戸籍住民管理方法は、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行う。
【００６０】
第３６の発明の戸籍住民管理方法は、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する。
【００６１】
第３７の発明の戸籍住民管理方法は、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う。
【００６２】
第３８の発明の戸籍住民管理方法は、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う。
【００６３】
第３９の発明の戸籍住民管理方法は、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う。
【００６４】
第４０の発明の戸籍住民管理方法は、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う。
【００６５】
第４１の発明のプログラムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、出生届に関し、市民課総合窓口で、出生者の親である市民は、住民の本籍地に出生届を出すと、市民課総合窓口担当者が戸籍住民総合端末を使って、移動入力メニューから出生に関する異動事由を選択し、出生者の親である筆頭者の氏名、生年月日、および住所を入力し、サーバは筆頭者の情報をキーワードとして共通検索データベースを検索し、戸籍データベースから該当戸籍簿をまた住民データベースから該当住民票を抽出し、戸籍簿に出生者が構成人として追記され、また、附票データベースに出生者の附票が作成され、さらに、住民データベースの住民票に出生者が構成人として追記される処理をコンピュータに実行させる。
【００６６】
第４２の発明のプログラムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、証明の交付要求として、市民課総合窓口で、市民は、戸籍抄本、附票、および住民票の交付要求し、市民課総合窓口担当者が戸籍住民総合端末を使って、証明出力メニューから戸籍抄本、附票、および住民票の交付要求を選択し、戸籍の筆頭者の氏名、生年月日、および住所と、住民票の世帯主の氏名、生年月日、および住所と、戸籍抄本、附票、および住民票の必要者の氏名、生年月日、および住所を入力すると、サーバは筆頭者および世帯主の情報をキーワードとして共通検索データベースを検索し、戸籍データベースから該当戸籍簿を、住民データベースから該当住民票を、また附票データベースから該当附票を抽出し、必要者の戸籍抄本、附票、および住民票の証明出力を指示し、必要者の戸籍抄本、附票、および住民票が出力される処理をコンピュータに実行させる。
【００６７】
第４３の発明のプログラムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合、それぞれ戸籍、附票、住民票に関する各種移動届や証明の交付要求はそれぞれの管轄地の自治体の市民課総合窓口の市民課総合窓口担当者が戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させる。
【００６８】
第４４の発明のプログラムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合、それぞれ戸籍、附票、住民票に関する各種移動届や証明の交付要求は本籍地か住所を管轄している管轄地の自治体のどちらかの市民課総合窓口の市民課総合窓口担当者が戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させる。
【００６９】
第４５の発明のプログラムは、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行う処理をコンピュータに実行させる。
【００７０】
第４６の発明のプログラムは、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する処理をコンピュータに実行させる。
【００７１】
第４７の発明のプログラムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行う処理をコンピュータに実行させる。
【００７２】
第４８の発明のプログラムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、市民課総合窓口の戸籍住民総合端末から、戸籍、附票、住民票に関する各種移動届や証明の交付要求を行う場合、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する処理をコンピュータに実行させる。
【００７３】
第４９の発明のプログラムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させる。
【００７４】
第５０の発明のプログラムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求はそれぞれの管轄地の自治体の市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させる。
【００７５】
第５１の発明のプログラムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させる。
【００７６】
第５２の発明のプログラムは、自治体毎に、戸籍、附票、住民票に関する各種移動届や証明の交付要求を行う市民課総合窓口を設け、戸籍で管理・処理するデータが記録されている戸籍データベース、住民記録で管理・処理するデータが記録されている住民データベース、附票で管理・処理するデータが記録されている附票データベース、および前記各データベースに関係し、検索の共通キーワードで管理・処理するデータが記録されている共通検索データベース、の各データベース群と、これら各データベース群を管理・処理するサーバと、サーバに接続し各データベース群に異動事由による移動入力および証明証交付要求による証明出力を行う戸籍住民総合端末と、サーバと戸籍住民総合端末とを接続し通信路を形成するネットワークで構成し、他の自治体のサーバと戸籍住民総合端末とをネットワークで接続する構成にし、共通検索データベースの検索の共通キーワードに筆頭者または世帯主の情報を使用し、筆頭者または世帯主の情報を入力することにより、戸籍データベース、住民データベース、附票データベースから、戸籍、住民票、附票を検索し、抽出する構成にし、本籍地と住所が別の場所にある場合は、それぞれ戸籍、附票、住民票に関する各種移動届や証明の交付要求は本籍地か住所を管轄している管轄地の自治体のどちらかの市民課総合窓口の戸籍住民総合端末を使って行い、各データベース間にまたがる検索、登録、出力の処理は、ネットワークを介してそれぞれの管轄地の自治体のサーバ間で連係し処理を行い、関連する各データベースの検索、登録、出力を行う処理をコンピュータに実行させる。
【００７７】
【発明の実施の形態】
本発明の戸籍住民管理システムと戸籍住民管理方法は従来の戸籍データ、住民票データ、附票データをそれぞれの係（自治体におけるセクション）で入力・管理されていたものを統合的に操作を行えるようにしたシステムである。
【００７８】
また、本発明の戸籍住民管理システムと戸籍住民管理方法を導入することにより、地方自治体における市民課（戸籍・住民票・附票）事務処理を効率化するものであり、１ＳＴＯＰサービス（一つの窓口や係で全ての行政サービスが受られる）を実現するものである。
【００７９】
なお、従来型のように処理選択→本人特定という概念ではなく、本人特定→処理選択という概念に変えることにより、１個人に関連する処理を同時に行えることを実現している。
【００８０】
次に、本発明の実施の形態について図面を参照して説明する。
【００８１】
図１は本発明の戸籍住民管理システムと戸籍住民管理方法の一実施の形態を示すブロック図である。
【００８２】
図１を参照すると、本発明の戸籍住民管理システムは市民課総合窓口で、１ＳＴＯＰサービス（一つの窓口や係で全ての行政サービスが受られる）を実現しており、戸籍で管理・処理するデータが記録されている戸籍ＤＢ（戸籍データベース）４０、住民記録で管理・処理するデータが記録されている住民ＤＢ（住民データベース）５０、附票で管理・処理するデータが記録されている附票ＤＢ（附票データベース）６０、および前記各ＤＢ（データベース）に関係し、検索の核となる共通キーワードで管理・処理するデータが記録されている共通検索ＤＢ（共通検索データベース）３０、の各ＤＢ群と、これら各ＤＢ群を管理・処理するサーバ２０と、サーバ２０に接続し各ＤＢ群に異動事由による移動入力および証明証交付（発行）要求による証明出力を行うブラウザ機能を持った戸籍住民総合端末１０と、サーバ２０と戸籍住民総合端末１０とを接続し通信路を形成するローカルエリアネットワーク、イーサネット（登録商標）、またはインターネット等で代表されるネットワーク７０で構成されている。
【００８３】
ここで共通検索ＤＢ３０の構成について説明すると、検索の核となる共通キーワードで管理・処理するデータが記録されているとは、共通検索ＤＢ３０以外の戸籍ＤＢ４０、住民ＤＢ５０、附票ＤＢ６０は全て共通情報として、戸籍簿であれば筆頭者または住民票であれば世帯主を元に作成されていることから、共通検索ＤＢ３０の構成は筆頭者または世帯主の氏名、生年月日、住所と筆頭者または世帯主の種別による、筆頭者または世帯主の情報により、戸籍ＤＢ４０、住民ＤＢ５０、附票ＤＢ６０から、戸籍、住民票、附票が検索により抽出することができるように構成されている。
【００８４】
戸籍住民総合端末１０は、パーソナルコンピュータ等のブラウザ表示機能を有した情報処理装置である。戸籍住民総合端末１０はサーバ２０の共通検索ＤＢ３０、戸籍ＤＢ４０、住民ＤＢ５０、附票ＤＢ６０にアクセスし、必要な個別情報をブラウザで端末画面に表示する機能を備えている。個別情報としては、例えば、戸籍上の本籍、筆頭者氏名、構成人名、生年月日等、また住民票上の住所、世帯主氏名、構成人名、生年月日等である。
【００８５】
市民課総合窓口では、戸籍の異動、住民記録の異動、附票の異動をそれぞれ市民からの届け出、他自治体からの送付を受けて同時に処理を行う機能を備えている。
【００８６】
次に、本発明の実施の形態の動作について、図１、図２、図３、および図４を参照して詳細に説明する。
【００８７】
図２は本発明の戸籍住民管理システムと戸籍住民管理方法の一実施の形態を示す構成図である。
【００８８】
図３は本発明の戸籍住民管理システムと戸籍住民管理方法の移動届の動作を示す流れ図である。
【００８９】
図４は本発明の戸籍住民管理システムと戸籍住民管理方法の証明交付要求の動作を示す流れ図である。
【００９０】
まず、図３の移動届の動作を示す流れ図をもとに出生届の実施の形態について説明する。
【００９１】
まず、市民課総合窓口で、出生者の親である市民は、住民の本籍地に出生届を出すと（ステップＳ３１）、市民課総合窓口担当者が戸籍住民総合端末１０を使って、移動入力メニューから出生に関する異動事由を選択し、出生者の親である筆頭者の氏名、生年月日、および住所を入力すると、サーバ２０は筆頭者の情報をキーワードとして共通検索ＤＢ３０を検索し、戸籍ＤＢ４０から該当戸籍簿をまた住民ＤＢ５０から該当住民票を抽出し（ステップＳ３２）、戸籍簿に出生者が構成人として追記され、また、附票ＤＢ６０に出生者の附票が作成され、さらに、住民ＤＢ５０の住民票に出生者が構成人として追記される（ステップＳ３３）。
【００９２】
次に、各種証明の交付要求の動作について、図４を参照して説明する。
【００９３】
証明の交付要求として、戸籍であれば戸籍謄本や戸籍抄本があり、ここでは戸籍抄本と、附票と、住民票につき説明する。
【００９４】
まず、市民課総合窓口で、市民は、戸籍抄本、附票、および住民票の交付要求をする（ステップＳ４１）。
【００９５】
市民課総合窓口担当者が戸籍住民総合端末１０使って、証明出力メニューから戸籍抄本、附票、および住民票の交付要求を選択し、戸籍の筆頭者の氏名、生年月日、および住所と、住民票の世帯主の氏名、生年月日、および住所と、戸籍抄本、附票、および住民票の必要者の氏名、生年月日、および住所を入力すると、サーバ２０は筆頭者および世帯主の情報をキーワードとして共通検索ＤＢ３０を検索し、戸籍ＤＢ４０から該当戸籍簿を、住民ＤＢ５０から該当住民票を、また附票ＤＢ６０から該当附票を抽出し、必要者の戸籍抄本、附票、および住民票の証明出力を指示する（ステップＳ４２）。証明出力が指示されることにより、必要者の戸籍抄本、附票、および住民票が出力される（ステップＳ４３）。
【００９６】
以上の本発明の実施の形態では本籍地と住所が特に別の場所にある場合について説明してないが、本籍地と住所が別の場所にある場合は、それぞれ戸籍、附票、住民票に関する各種移動届や証明の交付要求はそれぞれの管轄地の自治体の市民課総合窓口の市民課総合窓口担当者が戸籍住民総合端末１０使って行い、各ＤＢ間にまたがる検索、登録、出力等の処理は、ネットワーク７０を介してそれぞれの管轄地の自治体のサーバ２０間で連係し処理を行い、関連する各ＤＢの検索、登録、出力等を行うことができる。
【００９７】
さらに、本籍地と住所が別の場所にある場合でも、それぞれ戸籍、附票、住民票に関する各種移動届や証明の交付要求は本籍地か住所を管轄している管轄地の自治体のどちらかの市民課総合窓口の市民課総合窓口担当者が戸籍住民総合端末１０使って行い、各ＤＢ間にまたがる検索、登録、出力等の処理は、ネットワーク７０を介してそれぞれの管轄地の自治体のサーバ２０間で連係し処理を行い、関連する各ＤＢの検索、登録、出力等を行うようにすることもできる。
【００９８】
以上これまでの本発明の実施の形態については、戸籍住民総合端末１０はブラウザ機能を持ち、ネットワーク７０にインターネットを使用して戸籍住民総合端末１０とサーバ２０が接続され、また、本籍地と住所が別の場所にある場合のそれぞれの管轄地の自治体との接続のネットワーク７０にインターネットを使用するウェブ（ＷＥＢ）方式で説明してきたが、戸籍住民総合端末１０とサーバ２０間の接続および他の管轄地の自治体との接続のネットワーク７０にローカルエリアネットワークやイーサネット（登録商標）を使用するクライアント・サーバ（ＣＳ）方式、またはサーバ２０が汎用コンピュータのホストと戸籍住民総合端末１０がその入出力端末で、ネットワーク７０にはホストと入出力端末に適合するもので構成された汎用コンピュータ方式で、本発明の戸籍住民管理システムと戸籍住民管理方法を実現できる。
【００９９】
【発明の効果】
以上説明したように、本発明の戸籍住民管理システムと戸籍住民管理方法は、第１の効果は、戸籍、住民票、附票で共通的なデータをそれぞれで二重入力する必要がなくなったことと、１つの処理で戸籍、住民票、附票が作成することができるようになり、自治体の処理効率は格段にアップした点である。
【０１００】
その理由は、共通的なデータを格納する共通検索ＤＢを配備し、共通検索ＤＢを元に他の関連する戸籍ＤＢ、住民ＤＢ、附票ＤＢにアクセスするからである。
【０１０１】
第２の効果は、複数種の証明証を交付要求する場合にどんな場合も１処理で行える点である。
【０１０２】
その理由は、市民課総合窓口担当者が戸籍住民総合端末を使って戸籍、附票、および住民票の交付要求を選択し、戸籍の筆頭者や住民票の世帯主および必要者の氏名、生年月日、および住所を入力するだけで、関係するＤＢから証明証出力処理を自動的に行うからである。
【０１０３】
第３の効果は、戸籍、附票、および住民票の異動届または証明証の交付要求を同じ窓口に届け出を出せることである。
【０１０４】
その理由は、市民課総合窓口の戸籍住民総合端末を使って戸籍、附票、および住民票の処理が指示できるからである。
【０１０５】
第４の効果は、市民課（戸籍・住民票・附票）事務処理を効率化するものである。
【０１０６】
その理由は、市民課総合窓口の戸籍住民総合端末を使って戸籍、附票、および住民票の処理を行いるからである。
【０１０７】
第５の効果は、本籍地と住所が別の場所にある場合、処理が早く、間違いもすくない。
【０１０８】
その理由は、戸籍、附票、住民票に関する各種移動届や証明の交付要求はそれぞれの管轄地の自治体の市民課総合窓口の戸籍住民総合端末を使って行い、各ＤＢ間にまたがる検索、登録、出力等の処理は、ネットワークを介してそれぞれの管轄地の自治体のサーバ間で連係し処理を行い、関連する各ＤＢの検索、登録、出力等を行うことができるからである。
【０１０９】
第６の効果は、本籍地と住所が別の場所にある場合、本籍地か住所を管轄している管轄地の自治体のどちらかの市民課総合窓口の戸籍住民総合端末を使って行いるようにすることができる。
【０１１０】
その理由は、各ＤＢ間にまたがる検索、登録、出力等の処理は、ネットワークを介してそれぞれの管轄地の自治体のサーバ間で連係し処理を行い、関連する各ＤＢの検索、登録、出力等を行うようにすることもできるからである。
【図面の簡単な説明】
【図１】本発明の戸籍住民管理システムと戸籍住民管理方法の一実施の形態を示すブロック図である。
【図２】本発明の戸籍住民管理システムと戸籍住民管理方法の一実施の形態を示す構成図である。
【図３】本発明の戸籍住民管理システムと戸籍住民管理方法の移動届の動作を示す流れ図である。
【図４】本発明の戸籍住民管理システムと戸籍住民管理方法の証明交付要求の動作を示す流れ図である。
【図５】従来の戸籍管理システムおよび住民票管理システムの構成図である。
【図６】従来の戸籍管理システムおよび住民票管理システムの移動届の動作を示す流れ図である。
【図７】従来の戸籍管理システムおよび住民票管理システムの証明交付要求の動作を示す流れ図である。
【符号の説明】
１０　　戸籍住民総合端末
２０　　サーバ
３０　　共通検索ＤＢ
４０　　戸籍ＤＢ
５０　　住民ＤＢ
６０　　附票ＤＢ
７０　　ネットワーク
【図１】
2004013724.tif 000003
【図２】
2004013724.tif 000004
【図３】
2004013724.tif 000005
【図４】
2004013724.tif 000006
【図５】
2004013724.tif 000007
【図６】
2004013724.tif 000008
【図７】
2004013724.tif 000009